Podtech/llm-jp-corpus-v4-ja_patent huggingface dataset:
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
第１絶縁基板を含む第１表示板と、
前記第１絶縁基板と対向配置された第２絶縁基板と、該第２絶縁基板で前記第１絶縁基板と対向する面の反対面上に形成されたタッチ感知部とを含む第２表示板と、を具備し、
前記タッチ感知部は、
前記第２絶縁基板上に形成された静電誘導絶縁層と、
前記静電誘導絶縁層上に周縁に沿って形成された静電誘導パターン層と、
前記静電誘導絶縁層及び前記静電誘導パターン層を覆う誘電体層と、を含むことを特徴とする表示パネル。
【請求項２】
前記静電誘導パターン層は、銀（Ａｇ）、クロム（Ｃｒ）、アルミニウム（Ａｌ）、及びインジウム錫酸化物（ＩＴＯ）の中のいずれか一つ以上の素材を含んで形成されることを特徴とする請求項１に記載の表示パネル。
【請求項３】
前記静電誘導パターン層は、
分離断線された複数の導電パターンが前記静電誘導絶縁層の周縁に沿って形成された静電誘導部と、
前記静電誘導部の角部に連結されて電気を供給する電源連結部と、を含むことを特徴とする請求項２に記載の表示パネル。
【請求項４】
前記静電誘導絶縁層及び誘電体層は、二酸化ケイ素（ＳｉＯ２）、窒化ケイ素（Ｓｉ３Ｎ４）、アルミナ（Ａｌ２Ｏ３）、及びＡＴＯ（ａｎｔｉｍｏｎｙ  ｔｉｎ  ｏｘｉｄｅ）の中のいずれか一つ以上の素材を含んで形成されることを特徴とする請求項１に記載の表示パネル。
【請求項５】
前記第１表示板は、前記第１絶縁基板で前記第２絶縁基板と対向する面上に形成された薄膜トランジスタ、画素電極、及びカラーフィルターを含み、
前記第２表示板は、前記第２絶縁基板で前記第１絶縁基板と対向する面上に形成された共通電極をさらに含むことを特徴とする請求項１に記載の表示パネル。
【請求項６】
前記静電誘導絶縁層と前記第２絶縁基板との間に配置された電磁波遮断層をさらに含むことを特徴とする請求項５に記載の表示パネル。
【請求項７】
前記共通電極上に配置された偏光層をさらに含むことを特徴とする請求項５に記載の表示パネル。
【請求項８】
前記共通電極と前記第２絶縁基板との間に配置された偏光層をさらに含むことを特徴とする請求項５に記載の表示パネル。
【請求項９】
前記静電誘導絶縁層と前記第２絶縁基板との間に配置された偏光層をさらに含むことを特徴とする請求項５に記載の表示パネル。
【請求項１０】
前記第１表示板は、前記第１絶縁基板から見て前記第２絶縁基板と対向する面上に形成された薄膜トランジスタ及び画素電極を含み、
前記第２表示板は、前記第２絶縁基板から見て前記第１絶縁基板と対向する面上に形成されたカラーフィルター及び共通電極をさらに含むことを特徴とする請求項１に記載の表示パネル。
【請求項１１】
前記カラーフィルターは、前記第２絶縁基板と前記共通電極との間に配置されることを特徴とする請求項１０に記載の表示パネル。
【請求項１２】
前記共通電極は、前記第２絶縁基板と前記カラーフィルターとの間に配置されることを特徴とする請求項１０に記載の表示パネル。
【手続補正２】
【補正対象書類名】明細書
【補正対象項目名】０００７
【補正方法】変更
【補正の内容】
【０００７】
前記第１表示板は、前記第１絶縁基板から見て前記第２絶縁基板と対向する面上に形成された薄膜トランジスタ、画素電極、及びカラーフィルターを含み、前記第２表示板は、
前記第２絶縁基板から見て前記第１絶縁基板と対向する面上に形成された共通電極をさらに含んでもよい。
前記静電誘導絶縁層と前記第２絶縁基板との間に配置された電磁波遮断層をさらに含んでもよい。
前記共通電極上に配置された偏光層をさらに含んでもよい。
前記共通電極と前記第２絶縁基板との間に配置された偏光層をさらに含んでもよい。
前記静電誘導絶縁層と前記第２絶縁基板との間に配置された偏光層をさらに含んでもよい。
【手続補正３】
【補正対象書類名】明細書
【補正対象項目名】０００８
【補正方法】変更
【補正の内容】
【０００８】
前記第１表示板は、前記第１絶縁基板で前記第２絶縁基板と対向する面上に形成された薄膜トランジスタ及び画素電極を含み、前記第２表示板は、前記第２絶縁基板で前記第１絶縁基板と対向する面上に形成されたカラーフィルター及び共通電極をさらに含んでもよい。
前記カラーフィルターは前記第２絶縁基板と前記共通電極との間に配置される。
前記共通電極は前記第２絶縁基板と前記カラーフィルターとの間に配置される。
前記共通電極と前記第２絶縁基板との間に配置された偏光層をさらに含んでもよい。
前記カラーフィルターと前記共通電極との間に配置された偏光層をさらに含んでもよい。
前記静電誘導絶縁層と前記第２絶縁基板との間に配置された偏光層をさらに含んでもよい。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
モデル式からパラメータを抽出するパラメータ抽出方法であって、
前記モデル式のパラメータの初期値を設定するステップと、
前記モデル式のパラメータの初期値を変更するステップと、
実デバイスの入出力応答と、前記パラメータが入力されたモデル式の出力結果とを評価するステップと、を有し、
前記モデル式のパラメータの初期値は、乱数生成プログラムによって与えられることを特徴とするパラメータ抽出方法。
【請求項２】
請求項１において、
前記実デバイスの入出力応答と前記パラメータが入力されたモデル式の出力結果の誤差を小さくする前記パラメータを探索するアルゴリズムに基づいて、前記モデル式のパラメータの初期値を自動的に変更するステップを有し、
前記モデル式のパラメータの初期値を自動的に更新するステップは、前記パラメータについて設定された判断基準に基づいて、終了するものであることを特徴とするパラメータ抽出方法。
【請求項３】
請求項２において、
前記モデル式のパラメータの初期値を設定するステップから、前記モデル式のパラメータの初期値を自動的に変更するステップを、複数回繰り返す回数を設定するステップを有し、
前記複数回繰り返すステップにおいて、前記実デバイスの入出力応答と前記パラメータが入力されたモデル式との誤差を比較し、前記実デバイスの入出力応答と前記パラメータが入力されたモデル式の誤差が最小になるパラメータを抽出することを特徴とするパラメータ抽出方法。
【請求項４】
請求項１乃至３のいずれか一において、
前記モデル式のパラメータの最大値および最小値を設定するステップを有し、
前記乱数生成プログラムは、当該最大値と当該最小値の間に含まれる数値の中から、いずれかの数値の乱数を生成することを特徴とするパラメータ抽出方法。
【請求項５】
請求項１乃至４のいずれか一において、
前記乱数生成プログラムは、一様乱数あるいは正規乱数の乱数を発生させるプログラムであることを特徴とするパラメータ抽出方法。
【請求項６】
請求項１乃至５のいずれか一において、
前記実デバイスは、半導体素子であることを特徴とするパラメータ抽出方法。
【請求項７】
請求項６において、
前記半導体素子は、電界効果トランジスタ、薄膜トランジスタ、ＳＯＩトランジスタ、バイポーラトランジスタ、容量素子、または抵抗素子であることを特徴とするパラメータ抽出方法。
【請求項８】
モデル式からパラメータを抽出するプログラムが記憶された記憶媒体であって、
コンピュータにプログラムが記憶されており、
前記プログラムは、
前記コンピュータが、前記モデル式のパラメータの初期値を設定するステップと、
前記コンピュータが、前記モデル式のパラメータの初期値を変更するステップと、
前記コンピュータが、実デバイスの入出力応答と、前記パラメータが入力されたモデル式の出力結果とを評価するステップと、を実行させるためのプログラムであり、
前記モデル式のパラメータの初期値は、乱数生成プログラムによって与えられることを特徴とするコンピュータ読み取り可能な記憶媒体。
【請求項９】
請求項８において、
前記コンピュータに、前記実デバイスの入出力応答と前記パラメータが入力されたモデル式の出力結果の誤差を小さくする前記パラメータを探索するアルゴリズムに基づいて、前記モデル式のパラメータの初期値を自動的に変更するステップを実行させるためのプログラムが記憶されており、
前記モデル式のパラメータの初期値を自動的に更新するステップは、前記パラメータについて設定された判断基準に基づいて、終了するものであることを特徴とするコンピュータ読み取り可能な記憶媒体。
【請求項１０】
請求項９において、
前記コンピュータに、前記モデル式のパラメータの初期値を設定するステップから、前記モデル式のパラメータの初期値を自動的に変更するステップを、複数回繰り返す回数を設定するステップ実行させるためのプログラムが記憶されており、
前記複数回繰り返すステップにおいて、前記実デバイスの入出力応答と前記パラメータが入力されたモデル式との誤差を比較し、前記実デバイスの入出力応答と前記パラメータが入力されたモデル式の誤差が最小になるパラメータを抽出することを特徴とするコンピュータ読み取り可能な記憶媒体。
【請求項１１】
請求項８乃至１０のいずれか一において、
前記乱数生成プログラムは、一様乱数あるいは正規乱数の乱数を発生させるプログラムであることを特徴とするコンピュータ読み取り可能な記憶媒体。
【請求項１２】
請求項８乃至１１のいずれか一において、
前記実デバイスは、半導体素子であることを特徴とするコンピュータ読み取り可能な記憶媒体。
【請求項１３】
請求項１２において、
前記半導体素子は、電界効果トランジスタ、薄膜トランジスタ、ＳＯＩトランジスタ、バイポーラトランジスタ、容量素子、または抵抗素子であることを特徴とするコンピュータ読み取り可能な記憶媒体。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
遊技機であって、
特別図柄が表示される特別図柄表示器と、
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段の抽選結果に対応した前記特別図柄の停止態様を決定する表示態様決定手段と、
前記入賞状態検出手段による前記遊技媒体の検出に基づいて前記特別図柄を変動させるとともに、前記表示態様決定手段によって決定された停止態様で前記特別図柄の変動を停止させる変動制御処理を行う特別図柄変動制御手段と、
前記抽選手段の抽選結果が、所定の結果である場合、遊技者に有利な有利遊技状態を発生させる有利遊技状態発生手段と、
前記特別図柄の変動中に、前記入賞状態検出手段によって前記遊技媒体が検出された場合、当該検出に基づく前記特別図柄変動制御手段による前記変動制御処理の実行を待機させ、該待機数を始動記憶数として記憶するとともに、前記始動口への入賞順に従って前記変動制御処理を前記特別図柄変動制御手段に実行させる保留・消化手段と、
前記始動記憶数に対応した数の保留図柄を、前記変動制御処理の実行順に従って一連の図柄列で表示させる保留状態表示手段と、
予め定められた特定の条件を満たすか否かを判定する特定条件判定手段と、
前記保留・消化手段によって前記変動制御処理の実行が待機されているときに、前記入賞状態検出手段によって前記遊技媒体が検出され、且つ前記特定条件判定手段によって前記特定の条件を満たすと判定された場合には、前記保留状態表示手段によって既に表示されている前記図柄列に、前記保留図柄と異なる形態の特別保留図柄を割り込ませて表示させる特別保留状態表示手段と、
を具備することを特徴とする遊技機。
【請求項２】
請求項１に記載の遊技機であって、
前記保留・消化手段は、
前記特別図柄変動制御手段に、前記図柄列の実行順に従って、割り込ませて表示された前記特別保留図柄に対応する前記変動制御処理を、実行させる、
遊技機。
【請求項３】
請求項１または請求項２に記載の遊技機であって、
前記有利遊技状態は、大当たり遊技状態である、
遊技機。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
遊技機であって、
第一特別図柄が表示される第一特別図柄表示器と、
遊技領域内に配置され遊技媒体が入賞可能な第一始動口と、
該第一始動口に遊技媒体が入賞したことを検出する第一入賞状態検出手段と、
該第一入賞状態検出手段による前記遊技媒体の検出に基づいて抽選を行う第一抽選手段と、
該第一抽選手段の抽選結果に対応した前記第一特別図柄の停止態様を決定する第一表示態様決定手段と、
前記第一入賞状態検出手段による前記遊技媒体の検出に基づいて前記第一特別図柄を変動させるとともに、前記第一表示態様決定手段によって決定された停止態様で前記第一特別図柄の変動を停止させる第一特別図柄変動制御手段と、
特定の遊技状態か否かを判定する遊技状態判定手段と、
該遊技状態判定手段によって前記特定の遊技状態になったことが判定されると、前記第一始動口に対し前記遊技媒体の入賞を通常時より容易にする入賞率変更手段と、
第二特別図柄が表示される第二特別図柄表示器と、
前記遊技領域内に配置され遊技媒体が入賞可能な第二始動口と、
該第二始動口に前記遊技媒体が入賞したことを検出する第二入賞状態検出手段と、
該第二入賞状態検出手段による前記遊技媒体の検出に基づいて抽選を行う第二抽選手段と、
該第二抽選手段の抽選結果に対応した前記第二特別図柄の停止態様を決定する第二表示態様決定手段と、
前記第二入賞状態検出手段による前記遊技媒体の検出に基づいて前記第二特別図柄を変動させるとともに、前記第二表示態様決定手段によって決定された停止態様で前記第二特別図柄の変動を停止させる第二特別図柄変動制御手段と、
所定の開閉動作を行い、閉状態から開状態に変化することで前記遊技媒体が入賞可能となる開閉入賞装置と、
前記開閉入賞装置を制御し、前記開閉入賞装置の一回当りの開放時間を、第一所定時間とするとともに、前記開閉入賞装置の開閉動作を少なくとも一回以上行うことで、遊技者に所定の利益を付与可能な所定利益付与手段と、
前記開閉入賞装置を制御し、前記開閉入賞装置の一回当りの開放時間を、前記第一所定時間よりも長い第二所定時間とするとともに、前記開閉入賞装置の開閉動作を、前記所定利益付与手段が前記所定の利益を付与する場合の開閉動作の回数よりも多く行うことで、遊技者に特定の利益を付与可能な特定利益付与手段と、
（１）前記第一抽選手段の抽選結果が第一結果の場合において、前記特定利益付与手段に前記遊技者に前記特定の利益を付与させるとともに、遊技状態を、前記第一結果以降の抽選において少なくとも前記特定利益付与手段に前記特定の利益を付与させる確率を通常時よりも高く設定した確率変動状態とし、且つ、（２）前記遊技状態を、前記第一抽選手段が前記第一結果を導出した抽選以降の抽選に基づく前記第一特別図柄または前記第二特別図柄における変動の時間を前記通常時よりも相対的に短くするとともに、前記入賞率変更手段に前記第一始動口への入賞のし易さを前記通常時よりも増加させるようにした前記特定の遊技状態に含まれる時短遊技状態とする有利遊技状態を付与する第一有利遊技状態制御手段と、
前記第一抽選手段の抽選結果が第二結果の場合において、前記特定利益付与手段に前記遊技者に前記特定の利益を付与させるとともに、前記遊技状態を、前記確率変動状態とすることなく、少なくとも前記第一特別図柄または前記第二特別図柄の変動回数が所定回数になるまで前記時短遊技状態とする有利遊技状態を付与する第二有利遊技状態制御手段と、
（１）前記第二抽選手段の抽選結果が第三結果の場合において、前記所定利益付与手段に前記遊技者に前記所定の利益を付与させるとともに、（２）前記第二抽選手段が前記第三結果を導出するために前記抽選を行った抽選時点での遊技状態が少なくとも前記確率変動状態ではなく且つ前記時短遊技状態でもない場合には、前記遊技状態を、前記確率変動状態とするものの、前記時短遊技状態としない有利遊技状態を付与し、一方、前記抽選時点での遊技状態が少なくとも前記確率変動状態であり且つ前記時短遊技状態でない場合には、前記遊技状態を、前記確率変動状態を継続させるとともに、前記時短遊技状態とする有利遊技状態を付与する第三有利遊技状態制御手段と、
を具備することを特徴とする遊技機。
【請求項２】
請求項１に記載の遊技機であって、
前記所定利益付与手段は、
前記遊技者に前記所定の利益を付与する場合において、前記開閉入賞装置の一回当りの開放時間を、数個の遊技媒体が辛うじて入賞できる程度の第一所定時間とし、
前記特定利益付与手段は、
前記遊技者に前記特定の利益を付与する場合において、前記開閉入賞装置の一回当りの開放時間を、前記第一所定時間よりも長い時間であって、複数個の遊技媒体がゆとりを持って入賞できる程度の第二所定時間とする、
遊技機。
【請求項３】
請求項１または請求項２に記載の遊技機であって、
前記開閉入賞装置は、
大当たり遊技の際に開閉される大入賞口である、
遊技機。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
遊技機であって、
特別図柄が表示される特別図柄表示器と、
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
該抽選手段の抽選結果に対応した前記特別図柄の停止態様を決定する表示態様決定手段と、
前記入賞状態検出手段による前記遊技媒体の検出に基づいて前記特別図柄を変動させ、前記表示態様決定手段によって決定された停止態様で前記特別図柄の変動を停止させる変動制御処理を行う特別図柄変動制御手段と、
前記抽選手段の抽選結果が、所定の結果である場合、遊技者に有利な有利遊技状態を発生させる有利遊技状態発生手段と、
前記特別図柄の変動中に、前記入賞状態検出手段によって前記遊技媒体が検出された場合、当該検出に基づく前記特別図柄変動制御手段による前記変動制御処理の実行を一定数を上限として待機させ、該待機数を始動記憶数として記憶するとともに、前記始動口への入賞順に従って前記変動制御処理を前記特別図柄変動制御手段に実行させる保留・消化手段と、
前記始動記憶数に対応した数の保留図柄を、前記変動制御処理の実行順に従って表示する保留状態表示手段と、
前記抽選手段による抽選の形態または抽選の結果が、特定の条件を満たすか否かを判定する特定条件判定手段と、
該特定条件判定手段が前記特定の条件を満たすと判定した場合、前記保留図柄と異なる形態の特別保留図柄を前記保留図柄の代わりに表示させる特別保留状態表示手段と、
前記保留・消化手段によって前記変動制御処理の実行が待機されているときに、前記入賞状態検出手段によって前記遊技媒体が検出され、且つ該検出に基く前記抽選手段による前記抽選の形態または前記抽選の結果が前記特定の条件を満たす場合には、当該抽選に対応する前記変動制御処理を、待機中の他の前記抽選に対応する前記変動制御処理に割込ませて待機させる割込み手段と、
を具備することを特徴とする遊技機。
【請求項２】
請求項１に記載の遊技機であって、
前記保留・消化手段は、
割り込ませた前記変動制御処理を、前記待機中の他の前記抽選に対応する前記変動制御処理よりも優先して、実行させる、
遊技機。
【請求項３】
請求項１または請求項２に記載の遊技機であって、
前記有利遊技状態は、大当たり遊技状態である、
遊技機。
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
島設備に設置される遊技機本体と、
遊技球が打ち込まれる遊技領域にて遊技球を流下させる弾球遊技において、所定の条件が満たされたか否かについての判断処理を行うとともに、前記所定の条件が満たされた旨判断したときは、遊技者に有利な特別遊技を行う制御装置と、を備え、
前記遊技機本体を、遊技者から注目され易い第１の領域と、遊技者から注目され難い第２の領域とに大きく上下に区分して見たとき、
前記遊技機本体の上側の領域として区分されることとなる前記第１の領域には、
前記弾球遊技の状況を所定の演出によって遊技者にアピールする演出装置のみが、その全域に亘って設けられてなり、
前記遊技機本体の下側の領域として区分されることとなる前記第２の領域には、
前記遊技領域に打ち込まれる遊技球が貯留される貯留皿、及び
前記遊技領域に遊技球を打ち込むために遊技者が操作する操作ハンドルのほか、
前記遊技領域を有するとともに、前記遊技領域上に設けられる遊技用部材の種類及び数に見合ったサイズとされた簡易遊技盤が、設けられてなる
ことを特徴とする遊技機。
【請求項２】
前記簡易遊技盤には、前記遊技用部材として、遊技球を受け入れ困難な閉状態と当該閉状態よりも遊技球を受け入れ容易な開状態との間で開閉動作可能な開閉装置、及び遊技球を受け入れ可能な始動口が少なくとも設けられてなる
請求項１に記載の遊技機。
【請求項３】
前記所定の条件が満たされたか否かについての判断処理は、前記始動口に遊技球が受入れられたときに取得される乱数に基づいて行われる
請求項２に記載の遊技機。
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
島設備に設置される遊技機本体と、
遊技球を受け入れ困難な閉状態と当該閉状態よりも遊技球を受け入れ容易な開状態との間で開閉動作可能な開閉装置、及び遊技球を受け入れ可能な始動口が少なくとも設けられた遊技領域が形成される遊技盤と、
所定の演出画像が表示される表示面を有し、該表示面が、前記開閉装置及び前記始動口が少なくとも設けられる前記遊技盤の前記遊技領域が形成される面よりも大きな面積をもって形成される演出画像表示装置と、
前記遊技領域に向けて打ち込まれた遊技球を該遊技領域にて流下させる弾球遊技において、所定の条件が満たされたか否かについての判断処理、及び前記演出画像表示装置における前記演出画像の表示制御を含めて、遊技に関する処理を行う制御装置と、を備え、
前記遊技機本体には、前記遊技盤及び前記演出画像表示装置の配設スペースが、その上端部から下端部にかけて前記遊技盤及び前記演出画像表示装置の別に設けられてなり、前記遊技機本体の上端部から下端部にかけて設けられた該配設スペースによって、前記開閉装置及び前記始動口が少なくとも設けられる遊技領域を有する遊技盤と、該遊技盤の前記遊技領域が形成される面よりも大きな面積をもった前記表示面を有する前記演出画像表示装置とが、当該遊技機本体の上端部から下端部に亘ってその高さ方向に並ぶように配設された
ことを特徴とする遊技機。
【請求項２】
請求項１に記載の遊技機において、
前記遊技盤には、前記所定の条件が満たされると遊技媒体の受入れが可能となる大入賞口と、
少なくとも該大入賞口及び前記始動口への遊技媒体の受入れに応じて所定数の遊技媒体を払出す払出手段とが
さらに設けられてなることを特徴とする遊技機。
【請求項３】
前記所定の条件が満たされたか否かについての判断処理は、前記始動口に遊技球が受入れられたときに取得される乱数に基づいて行われる
請求項１または２に記載の遊技機。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
受診者の大腰筋が含まれる軟部組織、脊椎領域を含有する腹部領域の断層像を取得する画像取得手段と、
前記取得された断層像に所定の閾値を設定して前記軟部組織を抽出した抽出画像を生成する抽出画像生成手段と、
前記生成された抽出画像を表示する画像表示手段と、
を備えた医用画像診断支援装置において、
前記抽出画像生成手段は、前記設定された閾値により二値画像を得、前記得られた二値画像上に脊椎骨領域内に回転中心を持つ動径を設定し、その動径が通る部分の画素データを読み出し、軟部組織であることを示す画素に対応する動径の極小値をとる位置で、前記二値化画像中の軟部組織領域を切断し、その切断された切断領域の面積の比較と脊椎領域との位置関係に基づいて大腰筋領域と脊柱起立筋領域を識別することを特徴とする医用画像診断支援装置。
【請求項２】
前記抽出画像生成手段は、前記大腰筋領域と前記脊柱起立筋領域の面積を年齢に応じた標準データと比較し、その比較結果を示すメッセージを生成し、
前記画像表示手段は、前記生成されたメッセージを表示することを特徴とする請求項１に記載の医用画像診断支援装置。
【請求項３】
前記抽出画像生成手段は、前記大腰筋領域と前記脊柱起立筋領域を識別する際に生じたエラーの一覧を記録し、記録されたエラー一覧に対応する画像データを読み込むことを特徴とする請求項１又は２に記載の医用画像診断支援装置。
【請求項４】
受診者の大腰筋が含まれる軟部組織、脊椎領域を含有する腹部領域の断層像を取得するステップと、
前記取得された断層像に所定の閾値を設定し、前記設定された閾値により二値画像を得るステップと、
前記得られた二値画像上に脊椎骨領域内に回転中心を持つ動径を設定するステップと、
前記設定された動径が通る部分の画素データを読み出し、軟部組織であることを示す画素に対応する動径の極小値をとる位置で、前記二値化画像中の軟部組織領域を切断するステップと、
前記切断された切断領域の面積の比較と脊椎領域の位置に基づいて大腰筋領域と脊柱起立筋領域を識別するステップと、
前記識別された前記大腰筋領域と前記脊柱起立筋領域を表示するステップと、
を備えたことを特徴とする医用画像診断支援方法。
【請求項５】
受診者の大腰筋が含まれる軟部組織、脊椎領域を含有する腹部領域の断層像を取得する機能と、
前記取得された断層像に所定の閾値を設定し、前記設定された閾値により二値画像を得る機能と、
前記得られた二値画像に脊椎骨領域内に回転中心を持つ所定半径の動径を設定する機能と、
前記設定された動径が通る部分の画素データを読み出し、軟部組織であることを示す画素に対応する動径の極小値をとる位置で、前記二値化画像中の軟部組織領域を切断する機能と、
前記切断された切断領域の面積の比較と脊椎領域との位置関係に基づいて大腰筋領域と脊柱起立筋領域を識別する機能と、
前記識別された前記大腰筋領域と前記脊柱起立筋領域を表示する機能と、
をコンピュータに実行させることを特徴とする医用画像診断支援プログラム。
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
外形が矩形状とされた支持部材と、
該支持部材に着脱可能に支持され、遊技者の操作によって遊技媒体が打ち込まれる遊技領域を有した遊技盤と、
該遊技盤の左右何れか一方に配置されると共に前記支持部材に支持され、前記遊技領域内の上部へ遊技媒体を打ち込むための遊技媒体発射手段と、
該遊技媒体発射手段及び前記遊技盤の前面を覆うと共に前記遊技領域が前方から視認可能とされ、前記支持部材に開閉可能に支持された前面扉部材と、
該前面扉部材の前面側に支持され遊技者が操作することで前記遊技媒体発射手段を作動させる操作手段と
を具備することを特徴とする遊技機。
【請求項２】
請求項１に記載の遊技機において、
前記操作手段の操作状況に応じて前記遊技媒体発射手段における遊技媒体の発射強さを調節可能な発射強さ調節手段と、
該発射強さ調節手段に対して前記操作手段の操作状況を機械的に伝達可能とされ、前記前面扉部材が閉状態の時に伝達可能となり、開状態の時に伝達不能となる操作伝達手段と
をさらに備えることを特徴とする遊技機。
【請求項３】
前記支持部材の左右方向中心よりも右側に偏った位置に前記遊技盤の前記遊技領域の中央が配置されると共に、該遊技盤の左側に前記遊技媒体発射手段が配置され、該遊技媒体発射手段に対して前記遊技領域の左右方向中央を挟んで反対側に前記操作手段が配置されている
請求項１または２に記載の遊技機において、
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
外形が矩形状とされた支持部材と、
該支持部材における上下方向略中央から上側の略全体に亘って広がるように配置支持され、所定の演出画像を表示可能な演出表示手段と、
該演出表示手段の下側で前記支持部材に着脱可能に支持され、遊技者の操作によって遊技媒体が打ち込まれる遊技領域を有した遊技盤と、
該遊技盤の前記遊技領域が視認可能となるように前記演出表示手段の下側前面を略覆い、前記支持部材に開閉可能に支持された前面扉部材と、
前記遊技盤の前記遊技領域内に配置され遊技媒体を受入可能とされた始動口と、
該始動口への遊技媒体の受入れを契機として所定の抽選結果を抽選する抽選手段と、
該抽選手段の前記抽選結果に応じた所定の演出画像を前記演出表示手段に表示させる演出表示制御手段と、
該演出表示制御手段によって前記演出表示手段に所定条件を充足する抽選結果が表示されると遊技者が有利となる有利遊技状態を発生させる有利遊技状態発生手段と
を具備することを特徴とする遊技機。
【請求項２】
請求項１に記載の遊技機において、
前記遊技盤の前記遊技領域内に配置され前記有利遊技状態発生手段によって有利遊技状態が発生させられると遊技媒体の受入れが可能となる大入賞口と、
少なくとも該大入賞口及び前記始動口への遊技媒体の受入れに応じて所定数の遊技媒体を払出す払出手段と
をさらに備えることを特徴とする遊技機。
【請求項３】
前記抽選手段は、前記始動口への遊技媒体の受入れに基づいて乱数を取得し、該取得した乱数に基づいて前記所定の抽選結果を抽選するものである
請求項１または２に記載の遊技機。
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
外形が矩形状とされた支持部材と、
該支持部材の前面で遊技者の目の高さと略同じ高さに配置支持され所定の演出画像を表示可能な演出表示手段と、
該演出表示手段に対して遊技者が視線を向けた時に気付き難い位置に配置されると共に前記支持部材により前記演出表示手段の下側に着脱可能に支持され、遊技者の操作によって遊技媒体が打ち込まれる遊技領域を有した遊技盤と、
該遊技盤の前記遊技領域内に配置され遊技媒体を受入可能とされた始動口と、
該始動口への遊技媒体の受入れを契機として所定の抽選結果を抽選する抽選手段と、
該抽選手段の前記抽選結果に応じた所定の演出画像を前記演出表示手段に表示させる演出表示制御手段と、
該演出表示制御手段によって前記演出表示手段に所定条件を充足する抽選結果が表示されると遊技者が有利となる有利遊技状態を発生させる有利遊技状態発生手段と
を具備することを特徴とする遊技機。
【請求項２】
前記演出表示手段は、所定の演出画像を表示する表示領域の広さが、前記遊技盤の前記遊技領域よりも広く形成されているものである
請求項１に記載の遊技機。
【請求項３】
前記抽選手段は、始動口への遊技媒体の受入れに基づいて乱数を取得し、該取得した乱数に基づいて前記所定の抽選結果を抽選するものである
請求項１または２に記載の遊技機。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた始動口と、該始動口に遊技球が入球したことに基づいて遊技者に所定の利益を付与する利益付与状態に制御するか否かを判定する利益付与判定手段と、該利益付与判定手段による判定がなされたことに基づいて複数種類の図柄情報の可変表示を開始して所定期間経過後に所定の表示結果を導出表示可能な演出表示装置と、を備え、前記利益付与判定手段により前記利益付与状態に制御すると判定されたことに基づいて前記演出表示装置に特定の表示結果を導出表示する遊技機であって、
前記遊技領域に配設され、遊技球の受け入れが可能な開放状態と遊技球を受け入れが困難な閉塞状態とに変化可能な大入賞口開閉装置と、
前記大入賞口開閉装置を開閉制御する処理を複数回繰り返し実行することにより前記利益付与状態の制御を行う利益付与状態制御手段と、
所定の操作を受け付ける操作手段と、
遊技機への電力供給が開始されてからの経過時間を計測する経過時間計測手段と、
該経過時間計測手段によって計測した前記経過時間が所定時間に達したか否かを判定する経過時間判定手段と、
前記利益付与判定手段の判定結果に基づいて前記演出表示装置の表示態様が異なる複数種類の演出モードのうちいずれかの演出モードに応じた態様で前記演出表示装置を表示制御する表示制御手段と、を備え、
前記表示制御手段は、
前記経過時間判定手段によって前記所定時間に達したと判定される以前に前記操作手段が操作されたときには、前記経過時間判定手段によって前記所定時間に達したと判定される以前に前記操作手段が操作されなかったときとは異なる演出モードに応じた態様で前記演出表示装置を表示制御することを特徴とする遊技機。
【請求項２】
前記経過時間判定手段によって前記所定時間に達したと判定される以前に前記操作手段が操作された回数を計数する操作回数計数手段と、
所定の演出条件が成立したときに前記複数種類の演出モードのうちいずれかに決定する演出モード決定手段と、を備え、
前記複数種類の演出モードは、前記操作手段の操作回数に個々に対応付けされ、
前記演出モード決定手段は、前記経過時間判定手段によって前記所定期間に達したと判定されたとき、前記操作回数計数手段の計数結果に応じた演出モードに決定することを特徴とする請求項１記載の遊技機。
【請求項３】
前記利益付与判定手段によって前記利益付与状態に制御すると判定される確率が通常よりも高い高確率状態に制御する高確率制御手段と、
前記利益付与判定手段によって前記利益付与状態に制御する旨の判定がなされた場合に、当該利益付与状態に制御した後に前記高確率制御手段によって前記高確率状態に制御する第１利益付与状態と、前記利益付与状態に制御した後に前記高確率状態制御手段によって前記高確率状態に制御しない第２利益付与状態と、のいずれかに決定する利益価値決定手段と、
前記演出条件が成立したときに前記演出モード決定手段によって決定された前記演出モードの実行期間を決定する実行期間決定手段と、を備え、
前記演出モード決定手段は、前記実行期間決定手段によって決定された前記実行期間が経過したときに、前記高確率制御手段によって前記高確率状態に制御されている場合には前記高確率状態制御手段によって前記高確率状態に制御されていない場合よりも高い割合で前記複数種類の演出モードのうち特別演出モードに決定することを特徴とする請求項２記載の遊技機。
【手続補正２】
【補正対象書類名】明細書
【補正対象項目名】００１１
【補正方法】変更
【補正の内容】
【００１１】
（解決手段３）
前記利益付与判定手段によって前記利益付与状態に制御すると判定される確率が通常（通常状態、低確率時短状態）よりも高い高確率状態（高確率時短状態、高確率非時短状態）に制御する高確率制御手段（主制御ＭＰＵ５０４によって大入賞口開放後処理（ステップＳ５７）のステップＳ２５７〜ステップＳ２５９を実行して確変フラグをオン又はオフし、特別図柄通常処理（ステップＳ５０）のステップＳ１０５で確変フラグがセットされていれば高確率時当り判定テーブルを用いて大当りとするか否か判定する部分）と、
前記利益付与判定手段によって前記利益付与状態に制御する旨の判定がなされた場合に、当該利益付与状態に制御した後に前記高確率制御手段によって前記高確率状態に制御する第１利益付与状態（１５Ｒ確変大当り、２Ｒ確変大当りＡ、２Ｒ確変大当りＢ）と、前記利益付与状態に制御した後に前記高確率状態制御手段によって前記高確率状態に制御しない第２利益付与状態（２Ｒ非確変大当り）と、のいずれかに決定する利益価値決定手段（主制御ＭＰＵ５０４によって特別図柄停止図柄設定処理（ステップＳ５１）のステップＳ１２２で付与価値決定用乱数と大当り種類決定テーブルとに基づいて大当りの種類を決定する部分）と、
前記演出条件が成立したときに前記演出モード決定手段によって決定された前記演出モードの実行期間を決定する実行期間決定手段（サブ統合ＭＰＵ５２０によってモード演出初期設定処理（ステップＳ５０５）、通常時モード演出設定処理（ステップＳ９０２）及び終了時モード演出設定処理（ステップＳ９８２）を実行して演出モードの実行回数を決定する部分）と、を備え、
前記演出モード決定手段は、前記実行期間決定手段によって決定された前記実行期間が経過したときに、前記高確率制御手段によって前記高確率状態に制御されている場合には前記高確率状態制御手段によって前記高確率状態に制御されていない場合よりも高い割合で前記複数種類の演出モードのうち特別演出モードに決定する（例えば、通常時モード演出設定処理（ステップＳ９０２）のステップＳ１００８で高確率状態の制御を実行していれば特殊モードに決定される割合が低確率時通常モード決定テーブルよりも高い高確率時通常モード決定テーブルを用いてモードを決定する）ことを特徴とする解決手段２記載の遊技機。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
少なくとも所定の図柄情報を変動表示する変動表示手段と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により遊技者に利益を付与する利益付与状態に制御するときに前記変動表示手段にて前記図柄情報の変動表示を行って特定の図柄情報を停止表示する遊技機において、
前記変動表示手段にて前記図柄情報の変動表示を開始してから停止表示するまでの変動表示態様を複数種類記憶する変動表示態様記憶手段と、
前記当落判定手段の判定結果にもとづいて前記変動表示態様記憶手段に記憶される前記複数種類の変動表示態様のうちいずれかに決定する変動表示態様決定手段と、
前記当落判定手段により遊技者に利益を付与する判定がなされたときに前記変動表示手段に停止表示される図柄情報を前記特定の図柄情報に決定し、前記当落判定手段により遊技者に利益を付与する判定がなされなかったときに前記変動表示手段に停止表示される図柄情報を前記特定の図柄情報とは異なる非特定の図柄情報に決定する停止図柄情報決定手段と、
前記変動表示態様決定手段により決定された変動表示態様にもとづいて前記図柄情報の変動表示を行い、前記停止図柄情報決定手段により決定された図柄情報を停止表示する変動表示制御手段と、
前記変動表示手段にて前記図柄情報の変動表示を開始してから仮停止表示するまでの前記変動表示態様に類似した変動表示演出を記憶する変動表示演出記憶手段と、
前記変動表示態様決定手段により決定された変動表示態様にもとづいて前記変動表示演出記憶手段に記憶される変動表示演出を実行するか否か判定する変動表示演出判定手段と、
前記変動表示演出判定手段により前記変動表示演出を実行する判定がなされたときに前記変動表示演出が繰り返される実行回数を決定する変動表示演出回数決定手段と、
前記変動表示態様にもとづく前記図柄情報の変動表示を開始するよりも前に前記変動表示演出回数決定手段により決定された前記変動表示演出の実行回数だけ前記変動表示演出を実行する変動表示演出実行手段と、を備え、
前記変動表示演出記憶手段には、前記変動表示手段に前記非特定の図柄情報を停止表示するまでの過程にて、前記特定の図柄情報の一部を構成する特定態様すら形成されない変動表示態様に類似した変動表示演出が記憶されており、
前記変動表示演出判定手段は、前記当落判定手段により遊技者に利益を付与する判定がなされたとき、前記当落判定手段により遊技者に利益を付与する判定がなされなかったときよりも高い割合で前記変動表示演出を実行する判定がなされ、
前記変動表示演出実行手段は、前記変動表示演出回数決定手段により決定された前記変動表示演出の実行回数に関わらず、各々の変動表示演出の終了タイミングで、前記図柄情報の変動表示が前記変動表示演出である旨を遊技者に通知する変動表示演出通知手段を備えることを特徴とする遊技機。
【請求項２】
発光可能な発光部材と、
前記発光部材を所定の発光色で発光動作させる発光部材駆動手段と、をさらに備え、
前記変動表示演出通知手段は、各々の変動表示演出の終了タイミングで、前記発光部材駆動手段により前記発光部材を発光動作し、前記図柄情報の変動表示が前記変動表示演出である旨を遊技者に通知することを特徴とする請求項１記載の遊技機。
【請求項３】
前記変動表示演出にもとづいて前記図柄情報の変動表示を開始してから仮停止表示するまでの変動時間は、前記変動表示手段に前記非特定の図柄情報を停止表示するまでの過程にて、前記特定の図柄情報の一部を構成する特定態様すら形成されない変動表示態様に対応する変動時間と同一に構成されることを特徴とする請求項１または請求項２に記載の遊技機。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
少なくとも所定の図柄情報を変動表示する変動表示手段と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により遊技者に利益を付与する利益付与状態に制御するときに前記変動表示手段にて前記図柄情報の変動表示を行って特定の図柄情報を停止表示する遊技機において、
前記変動表示手段にて前記図柄情報の変動表示を開始してから停止表示するまでの変動表示態様を複数種類記憶する変動表示態様記憶手段と、
前記当落判定手段の判定結果にもとづいて前記変動表示態様記憶手段に記憶される前記複数種類の変動表示態様のうちいずれかに決定する変動表示態様決定手段と、
前記当落判定手段により遊技者に利益を付与する判定がなされたときに前記変動表示手段に停止表示される図柄情報を前記特定の図柄情報に決定し、前記当落判定手段により遊技者に利益を付与する判定がなされなかったときに前記変動表示手段に停止表示される図柄情報を前記特定の図柄情報とは異なる非特定の図柄情報に決定する停止図柄情報決定手段と、
前記変動表示態様決定手段により決定された変動表示態様にもとづいて前記図柄情報の変動表示を行い、前記停止図柄情報決定手段により決定された図柄情報を停止表示する変動表示制御手段と、
前記変動表示手段にて前記図柄情報の変動表示を開始してから仮停止表示するまでの前記変動表示態様に類似した変動表示演出を記憶する変動表示演出記憶手段と、
前記変動表示態様決定手段により決定された変動表示態様にもとづいて前記変動表示演出記憶手段に記憶される変動表示演出を実行するか否か判定する変動表示演出判定手段と、
前記変動表示演出判定手段により前記変動表示演出を実行する判定がなされたときに前記変動表示演出が繰り返される実行回数を決定する変動表示演出回数決定手段と、
前記変動表示態様にもとづく前記図柄情報の変動表示を開始するよりも前に前記変動表示演出回数決定手段により決定された前記変動表示演出の実行回数だけ前記変動表示演出を実行する変動表示演出実行手段と、を備え、
前記変動表示演出記憶手段には、前記当落判定手段により遊技者に利益を付与する判定がなされなかったときに前記変動表示態様決定手段により決定される割合の高い変動表示態様に類似した変動表示演出が記憶されており、
前記変動表示演出判定手段は、前記当落判定手段により遊技者に利益を付与する判定がなされたとき、前記当落判定手段により遊技者に利益を付与する判定がなされなかったときよりも高い割合で前記変動表示演出を実行する判定がなされ、
前記変動表示演出実行手段は、前記変動表示演出回数決定手段により決定された前記変動表示演出の実行回数に関わらず、少なくとも初回の変動表示演出が実行終了されるまで前記変動表示演出である旨を遊技者に認識させない初回変動表示演出規制手段を備えることを特徴とする遊技機。
【請求項２】
前記初回の変動表示演出であっても前記変動表示演出である旨を遊技者に認識させるか否か判定する初回変動表示演出判定手段をさらに備え、
前記初回変動表示演出規制手段は、前記初回変動表示演出判定手段により前記変動表示演出である旨を遊技者に認識させる判定がなされなかったときに前記初回の変動表示演出が実行終了されるまで前記変動表示演出である旨を遊技者に認識させることなく、
前記初回変動表示演出判定手段は、前記初回の変動表示演出にて前記変動表示演出である旨を遊技者に認識させる判定がなされるよりも高い割合で、前記変動表示演出である旨を遊技者に認識させる判定がなされないことを特徴とする請求項１記載の遊技機。
【請求項３】
前記変動表示演出実行手段は、前記変動表示手段に前記図柄情報を仮停止表示するまでの過程が前記変動表示態様とは異なる前記変動表示演出を実行することを特徴とする請求項１または請求項２に記載の遊技機。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
少なくとも所定の図柄情報を変動表示する変動表示手段と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により遊技者に利益を付与する利益付与状態に制御するときに前記変動表示手段にて前記図柄情報の変動表示を行って特定の図柄情報を停止表示する遊技機において、
遊技の進行を制御する主制御手段と、
少なくとも前記変動表示手段を制御する周辺制御手段と、を備え、
前記主制御手段は、
前記当落判定手段と、
前記利益付与状態制御手段と、
前記変動表示手段にて前記図柄情報の変動表示を開始してから停止表示するまでの変動時間を複数種類記憶する変動時間記憶手段と、
前記当落判定手段の判定結果にもとづいて前記変動時間記憶手段に記憶される前記複数種類の変動時間のうちいずれかに決定する変動時間決定手段と、
前記変動時間決定手段により決定された変動時間に加算される加算時間を複数種類記憶する加算時間記憶手段と、
前記変動時間決定手段により決定された変動時間にもとづいて前記加算時間を加算するか否かを判定する加算時間判定手段と、
前記加算時間判定手段により前記加算時間を加算する判定がなされたときに前記加算時間記憶手段に記憶される前記複数種類の加算時間のうちいずれかに決定する加算時間決定手段と、
前記変動時間決定手段により決定された変動時間を特定する変動時間コマンドとともに、前記加算時間判定手段の判定結果および前記加算時間決定手段の決定結果を特定する加算時間コマンドを１つのコマンド信号として作成するコマンド信号作成手段と、
前記コマンド信号作成手段により作成されたコマンド信号を前記周辺制御手段に送信するコマンド信号送信手段と、を備え、
前記周辺制御手段は、
前記当落判定手段により遊技者に利益を付与する判定がなされたときに前記変動表示手段に停止表示される図柄情報を前記特定の図柄情報に決定し、前記当落判定手段により遊技者に利益を付与する判定がなされなかったときに前記変動表示手段に停止表示される図柄情報を前記特定の図柄情報とは異なる非特定の図柄情報に決定する停止図柄情報決定手段と、
前記複数種類の変動時間に対応付けられた変動表示態様を複数種類記憶する変動表示態様記憶手段と、
前記コマンド信号として送信された変動時間コマンドにもとづいて前記変動時間に対応する変動表示態様を前記変動表示態様記憶手段から読み出し、該読み出された変動表示態様を前記変動表示手段に表示制御する変動表示制御手段と、
前記複数種類の加算時間に対応付けられた変動表示演出を複数種類記憶する変動表示演出記憶手段と、を備え、
前記変動表示制御手段は、前記コマンド信号として送信された加算時間コマンドから前記加算時間を加算する判定結果が特定されたとき、前記加算時間決定手段の決定結果に対応する変動表示演出を前記変動表示演出記憶手段から読み出し、該読み出された変動表示演出を前記変動表示態様に付加して前記変動表示手段に表示制御する変動表示演出実行手段を含むことを特徴とする遊技機。
【請求項２】
前記主制御手段は、複数種類の遊技状況のうち現在の遊技状況を判定する遊技状況判定手段をさらに備え、
前記変動時間決定手段は、
前記遊技状況判定手段により現在の遊技状況が第１の遊技状況であると判定されたときに前記変動時間記憶手段に記憶される前記複数種類の変動時間のうち第１の変動時間に決定する第１の変動時間決定手段と、
前記遊技状況判定手段により現在の遊技状況が前記第１の遊技状況とは異なる第２の遊技状況であると判定されたときに前記変動時間記憶手段に記憶される前記複数種類の変動時間のうち第２の変動時間に決定する第２の変動時間決定手段と、を含み、
前記変動表示制御手段は、前記コマンド信号として送信された前記変動時間コマンドから前記第２の変動時間が特定されたとき、前記第１の変動時間とは別個の変動表示態様を前記変動表示態様記憶手段から読み出し、該読み出された変動表示態様を前記変動表示手段に表示制御することを特徴とする請求項１記載の遊技機。
【請求項３】
前記変動表示手段とは別個に所定の特別図柄を変動表示する特別図柄表示手段をさらに備え、
前記主制御手段は、
前記加算時間決定手段により決定された加算時間を前記変動時間に加算し、該加算時間が加算された変動時間を計数する変動時間計数手段と、
前記変動時間計数手段により計数される前記加算時間が加算された変動時間だけ駆動信号を前記特別図柄表示手段に直接的に送信し、前記特別図柄の変動表示を行い、前記当落判定手段の判定結果を表示制御する特別図柄表示制御手段と、をさらに備えることを特徴とする請求項１または請求項２に記載の遊技機。
【手続補正書】
【提出日】平成22年11月5日(2010.11.5)
【手続補正１】
【補正対象書類名】明細書
【補正対象項目名】発明の名称
【補正方法】変更
【補正の内容】
【発明の名称】ＲＦＩＤタグからの無線周波数識別方法及び無線周波数識別装置
【手続補正２】
【補正対象書類名】特許請求の範囲
【補正対象項目名】全文
【補正方法】変更
【補正の内容】
【特許請求の範囲】
【請求項１】
ＲＦＩＤタグから発信された無線周波数を受信しこれを識別する無線周波数識別装置における無線周波数の識別方法であって、
所定の無線周波数チャネルで前記無線周波数の信号を受信するステップと、
前記受信した無線周波数信号のスペクトル解析を行うステップと、
統計的解析に基づいて無線周波数識別装置に対して判定閾値を設定するステップと、
の各ステップを含む無線周波数識別方法。
【請求項２】
前記信号が、前記無線周波数チャネルに周囲雑音を含む、請求項１に記載の無線周波数識別方法。
【請求項３】
前記スペクトル解析により得られた結果が、前記信号の大きさである、請求項１に記載の無線周波数識別方法。
【請求項４】
前記スペクトル解析が前記信号のフーリエ解析を含む、請求項１に記載の無線周波数識別方法。
【請求項５】
前記結果が、前記無線周波数チャネルに割り当てられた循環バッファ内に格納される、請求項１に記載の無線周波数識別方法。
【請求項６】
前記統計的解析が、前記循環バッファ内に格納しているデータにガウス分布モデルを使用するステップを含む、請求項５に記載の無線周波数識別方法。
【請求項７】
前記判定閾値が、平均に３標準偏差を加えたものに設定される、請求項６に記載の無線周波数識別方法。
【請求項８】
前記判定閾値が、前記無線周波数チャネルに関連する、請求項７に記載の無線周波数識別方法。
【請求項９】
無線周波数チャネルで信号を受信する無線周波数受信機と、
前記受信機と通信接続された処理ユニットと、
前記処理ユニットからの命令に基づいて作動する、
（ａ）前記受信機からの信号を受信し、
（ｂ）結果を入手するために前記信号に対するスペクトル解析を実行し、
（ｃ）前記結果を使用する統計的解析に基づいて無線周波数識別装置に対する判定閾値の設定を行う、プログラムを備えたメモリ・ユニットと、
を備えた無線周波数識別装置。
【請求項１０】
前記信号が、前記無線周波数チャネルに周囲雑音を含む、請求項９に記載の無線周波数識別装置。
【請求項１１】
前記スペクトル解析により得られた結果が、前記信号の大きさである、請求項９に記載の無線周波数識別装置。
【請求項１２】
前記スペクトル解析が前記信号のフーリエ解析を含む、請求項９に記載の無線周波数識別装置。
【請求項１３】
前記結果が、前記無線周波数チャネルに割り当てられた循環バッファ内に格納される、請求項９に記載の無線周波数識別装置。
【請求項１４】
前記統計的解析が、前記循環バッファ内に格納しているデータにガウス分布モデルを使用するステップを含む、請求項１３に記載の無線周波数識別装置。
【請求項１５】
前記判定閾値が、平均に３標準偏差を加えたものに設定される、請求項１４に記載の無線周波数識別装置。
【請求項１６】
前記判定閾値が、前記無線周波数チャネルに関連する、請求項１５に記載の無線周波数識別装置。
【手続補正３】
【補正対象書類名】明細書
【補正対象項目名】０００５
【補正方法】変更
【補正の内容】
【０００５】
本発明は、上記課題に鑑みてなされたものであり、ＲＦＩＤタグから発信された無線周波数を受信しこれを識別する無線周波数識別装置における無線周波数の識別方法であって、所定の無線周波数チャネルで前記無線周波数の信号を受信するステップと、前記受信した無線周波数信号のスペクトル解析を行うステップと、統計的解析に基づいて無線周波数識別装置に対して判定閾値を設定するステップと、の各ステップを含む無線周波数識別方法を提供するものである。さらに、無線周波数チャネルで信号を受信する無線周波数受信機と、前記受信機と通信接続された処理ユニットと、前記処理ユニットからの命令に基づいて作動する、（ａ）前記受信機からの信号を受信し、（ｂ）結果を入手するために前記信号に対するスペクトル解析を実行し、（ｃ）前記結果を使用する統計的解析に基づいて無線周波数識別装置に対する判定閾値の設定を行う、プログラムを備えたメモリ・ユニットと、を備えた無線周波数識別装置を提供するものである。